(57)【要約】      （修正有）【課題】低コスト、小型、携帯容易な軽便型のＵＳＢ低周波按摩器を提供する。【解決手段】ＵＳＢ  Ｔｙｐｅ−Ａオス端子２１は、電源装置１０のＵＳＢ  Ｔｙｐｅ−Ａメス端子１２に接続されており、電流供給に用いられる。昇圧回路２３は、ＵＳＢ  Ｔｙｐｅ−Ａオス端子より供給された電力の昇圧に用いられる。切り替えスイッチ２７は、昇圧回路及び少なくとも二つの電子按摩パッド４１、４２に接続されている。電源ボタン２５は、軽便型のＵＳＢ低周波按摩器２０のオンオフを制御する。マイクロコントローラ２２は、複数組の波形生成モードを保存しており、電源ボタンがオンとなった場合、複数の波形生成モードを選択し、昇圧回路２３の出力電圧と出力周波数を制御し、電子按摩パッドに対する切り替えスイッチの放電モードを制御し、電子按摩の動きを行う。制御ボタン２４、２６が操作された時、マイクロコントローラは出力電圧の大きさを調整する。【選択図】図２
0003214975.tif 000002
【実用新案登録請求の範囲】
【請求項１】
ＵＳＢ  Ｔｙｐｅ−Ａメス端子を有する電源装置に応用され、少なくとも二つの電子按摩パッドに接続されている軽便型のＵＳＢ低周波按摩器であって、
ＵＳＢ  Ｔｙｐｅ−Ａオス端子と、昇圧回路と、切り替えスイッチと、電源ボタンと、制御ボタンと、マイクロコントローラと、を備え、
前記ＵＳＢ  Ｔｙｐｅ−Ａオス端子は、電源装置の前記ＵＳＢ  Ｔｙｐｅ−Ａメス端子に接続されており、電流供給に用いられ、
前記昇圧回路は、前記ＵＳＢ  Ｔｙｐｅ−Ａオス端子より供給された電力の昇圧に用いられ、
前記切り替えスイッチは、前記昇圧回路及び少なくとも二つの前記電子按摩パッドに接続されており、
前記電源ボタンは、前記軽便型のＵＳＢ低周波按摩器のオンオフを制御し、
前記マイクロコントローラは、前記ＵＳＢ  Ｔｙｐｅ−Ａオス端子、前記昇圧回路、前記切り替えスイッチ、前記電源ボタン、及び前記制御ボタンに接続されており、複数組の波形生成モードが保存されており、前記電源ボタンがオンとなった場合、複数の前記波形生成モードを選択し、前記昇圧回路の出力電圧と出力周波数を制御し、前記電子按摩パッドに対する前記切り替えスイッチの放電モードを制御し、電子按摩の動きを行い、
前記制御ボタンが操作された時、前記マイクロコントローラは前記出力電圧の大きさを調整することを特徴とする軽便型のＵＳＢ低周波按摩器。
【請求項２】
前記制御ボタンは二つであり、
それぞれ、前記出力電圧の増大及び前記出力電圧の減少を調整することを特徴とする請求項１に記載の軽便型のＵＳＢ低周波按摩器。
【請求項３】
前記マイクロコントローラは、自動的に前記波形生成モードを選択し、前記昇圧回路の出力を制御することを特徴とする請求項１または２に記載の軽便型のＵＳＢ低周波按摩器。
【請求項４】
前記マイクロコントローラは、一つの前記制御ボタンにより前記波形生成モードを選択し、前記制御ボタンが所定時間長く押された時に、別の前記波形生成モードに調整されることを特徴とする請求項１に記載の軽便型のＵＳＢ低周波按摩器。
【請求項５】
前記マイクロコントローラは、一つの前記制御ボタンにより前記波形生成モードを選択し、前記制御ボタンが連続２回押された時に、別の前記波形生成モードに調整されることを特徴とする請求項１に記載の軽便型のＵＳＢ低周波按摩器。
【請求項６】
前記マイクロコントローラは、二つの前記制御ボタンにより前記波形生成モードを選択し、二つの前記制御ボタンが同時に所定時間長く押された時に、別の前記波形生成モードに調整されることを特徴とする請求項２に記載の軽便型のＵＳＢ低周波按摩器。
【請求項７】
前記マイクロコントローラは、二つの前記制御ボタンにより前記波形生成モードを選択し、二つの前記制御ボタンが連続２回押された時に、別の前記波形生成モードに調整されることを特徴とする請求項２に記載の軽便型のＵＳＢ低周波按摩器。
【請求項８】
別の前記波形生成モードに調整するのに用いられ、前記昇圧回路の出力を制御する第３の制御ボタンをさらに備えることを特徴とする請求項２に記載の軽便型のＵＳＢ低周波按摩器。
【請求項９】
前記マイクロコントローラに接続されており、前記昇圧回路の出力電圧の大きさを表示する指示ランプアセンブリを更に有することを特徴とする請求項１に記載の軽便型のＵＳＢ低周波按摩器。
【請求項１０】
前記波形生成モードは、固定長周期の波形生成モード、連続パルス波形生成モード、混合長周期の波形生成モード、及び、混合の連続パルス波形生成モードの任意の組み合わせから選ばれることを特徴とする請求項１に記載の軽便型のＵＳＢ低周波按摩器。
【考案の詳細な説明】
【技術分野】
【０００１】
本考案は、電子按摩装置に関し、特に一種の軽便型のＵＳＢ低周波按摩器に関する。
【背景技術】
【０００２】
現在、多くの携帯電子按摩装置が出てきた。例えば「低周波按摩器」と呼ばれる製品が多く出ており、その概念には、一般的に物理的なリハビリや痛みを緩和するために使用されている電気治療器が含まれる。治療する時、低周波は弱い電流を低周波の方式で人体に入り、電極片を通じて筋肉や筋肉内の神経の末梢感覚受信器に直接刺激を与える。筋肉が無意識に収縮活動し、疲れたあるいは負傷しただるくて痛い筋肉や神経をリラックスさせ、局部の血液循環を促進し、痛みを軽減する。
【０００３】
これらの製品は、リハビリテーション科の大型医療設備から、携帯の製品に転換している。この製品の大きさは現在では携帯電話と同程度であり、非常に便利である。しかし依然としてセットの低周波治療器と関連パーツが必要であるため、現代人には不便である。
【０００４】
それゆえ、このような低周波治療器の機器本体が必要としない、現在広く使用されているＵＳＢ  ｔｙｐｅ−Ａメス端子を持つ移動電源やＵＳＢ  ｔｙｐｅ−Ａメス端子を持つコンセント、あるいはＵＳＢ  ｔｙｐｅ−Ａメス端子行動装置などを別体の電源とし、低周波治療器は電極片を持つだけの終極製品とするにはどうしたらよいのかということが、開発者の注目する課題となっている。
【考案の概要】
【考案が解決しようとする課題】
【０００５】
上述の技術問題を解決するために、本考案は、従来技術の上述の欠点に対し、低コスト、小型、携帯容易、利便性の高い効果を有する軽便型のＵＳＢ低周波按摩器を提供する。
【課題を解決するための手段】
【０００６】
本考案の軽便型のＵＳＢ低周波按摩器は、ＵＳＢ  Ｔｙｐｅ−Ａメス端子を有する電源装置に応用されており、少なくとも二つの電子按摩パッドに接続されており、ＵＳＢ  Ｔｙｐｅ−Ａオス端子と、昇圧回路と、切替スイッチと、電源ボタンと、制御ボタンと、マイクロコントローラと、を備える。
ＵＳＢ  Ｔｙｐｅ−Ａオス端子は、前記ＵＳＢ  Ｔｙｐｅ−Ａメス端子の電源装置に接続されており、電流供給に用いられる。
昇圧回路は、前記ＵＳＢ  Ｔｙｐｅ−Ａオス端子より供給された電力の昇圧に用いられる。切替スイッチは、前記昇圧回路及び少なくとも二つの前記電子按摩パッドに接続されている。電源ボタンは、前記軽便型のＵＳＢ低周波按摩器のオンオフを制御する。
マイクロコントローラは、ＵＳＢ  Ｔｙｐｅ−Ａオス端子、前記昇圧回路、前記切替スイッチ、前記電源ボタン、及び前記制御ボタンに接続されており、複数組の波形生成モードが保存されている。前記電源ボタンがオンとなった場合、複数の前記波形生成モードを選択し、前記昇圧回路の出力電圧と出力周波数を制御し、前記電子按摩パッドに対する前記切替スイッチの放電モードを制御し、電子按摩の動きを行う。
前記制御ボタンが操作された時、前記マイクロコントローラは前記出力電圧の大きさを調整する。
【０００７】
本考案の上述の特徴、目的、メリットを分かりやすく説明するために、下記にて、複数の実施例を用い、図面に基づいて、詳細に説明する。
【図面の簡単な説明】
【０００８】
【図１】本考案の軽便型のＵＳＢ低周波按摩器とシステムの構造を示す説明図である。
【図２】本考案の軽便型のＵＳＢ低周波按摩器とシステムの各装置の機能を示すブロック図である。
【図３Ａ】本考案の軽便型のＵＳＢ低周波按摩器の波形生成モードの二つの具体的な実施例を示す説明図である。
【図３Ｂ】本考案の軽便型のＵＳＢ低周波按摩器の波形生成モードのほかの二つの具体的な実施例を示す説明図である。
【考案を実施するための形態】
【０００９】
本考案は、よく使用されているＵＳＢのＴＹＰＥ−Ａメス端子を有する電源装置を使用し、従来技術の持ちにくいという問題を解決する。低コスト、小型、持ちやすい、より便利な軽便型のＵＳＢ低周波按摩器を提供する。
【００１０】
まず、本考案の軽便型のＵＳＢ低周波按摩器とシステムの構造の説明図である図１を参照する。図１には、電源装置１０、軽便型のＵＳＢ低周波按摩器２０、接続コード３０、及び電子按摩パッド４１、４２が示される。図１では、軽便型のＵＳＢ低周波按摩器２０は、ＵＳＢ  ＴＹＰＥ−Ａオス端子２１を通じて、電源装置１０のＵＳＢ  ＴＹＰＥ−Ａメス端子１２に挿入する。軽便型のＵＳＢ低周波按摩器２０のマイクロコントローラ２２は、いくつかの波形生成モードを記録し、第１制御ボタン２４、電源ボタン２５、第２制御ボタン２６を通じて電源の起動及び出力電圧の大きさ（強度）を制御し、指示ランプアセンブリ２８で出力電圧の大きさを示す。
【００１１】
一の実施例では、軽便型のＵＳＢ低周波按摩器２０の波形生成モードが予め設定されているため、使用者は波形生成モードを制御できない。マイクロコントローラでは、予定通りモードを自動的に切り替えられる。使用者は、異なる周波数（波形モード）の切り替えによってもたらした異なる按摩効果を感じることができる。
【００１２】
他の実施例では、軽便型のＵＳＢ低周波按摩器２０の波形生成モードが予め設定されているため、使用者は第１制御ボタン２４と第２制御ボタン２６を通じて波形生成モードを選択できる。マイクロコントローラは使用者の選択によって順番で波形生成モードを出力する。使用者は現在のモードを確認した上、切り替えをやめ、好きな按摩効果を選択できる。
【００１３】
次に、本考案の軽便型のＵＳＢ低周波按摩器とシステムの各装置の機能を示すブロック図である図２を参照する。電源装置１０には、電力供給単位１１、ＵＳＢ  ＴＹＰＥ−Ａメス端子１２、ＵＳＢ制御チップ１３を有する。移動電源、コンピューター、パソコン、コンセントなどが電源装置１０に含まれる。
【００１４】
軽便型のＵＳＢ低周波按摩器２０は、ＵＳＢ  ＴＹＰＥ−Ａオス端子２１、マイクロコントローラ２２、昇圧回路２３、第１制御ボタン２４、電源ボタン２５、第２制御ボタン２６、切り替えスイッチ２７、指示ランプアセンブリ２８を有する。
ＵＳＢ  Ｔｙｐｅ−Ａオス端子２１は、電源装置のＵＳＢ  Ｔｙｐｅ−Ａメス端子１２に接続されており、電流供給に用いられる。昇圧回路２３はＵＳＢ  ＴＹＰＥ−Ａオス端子２１からの電圧を昇圧する。切り替えスイッチ２７は昇圧回路２３、電子按摩パッド４１、４２と連結する。電源ボタン２５は軽便型のＵＳＢ低周波按摩器２０の起動及び停止をコントロールする。
マイクロコントローラ２２は、ＵＳＢ  ＴＹＰＥ−Ａオス端子２１、昇圧回路２３、切り替えスイッチ２７、電源ボタン２５、第１制御ボタン２４、第２制御ボタン２６、指示ランプアセンブリ２８と連結する。マイクロコントローラ２２は、いくつかの波形生成モードを有する。
電源ボタン２５を押すと、選ばれた一つの波形生成モードが昇圧回路２３の出力電圧と出力周波数をコントロールし、切り替えスイッチ２７をコントロールする。そして、切り替えスイッチ２７が電子按摩パッド４１、４２を制御し、電子按摩が始まる。第１制御ボタン２４及び第２制御ボタン２６が操作される時、マイクロコントローラ２２が出力電圧を調整する。
【００１５】
指示ランプアセンブリ２８がマイクロコントローラ２２を連結し、出力電圧状態、つまり強さを示す。例を挙げて言うと、出力電圧は四段階のレベルがあり、四つのＬＥＤ指示ランプアセンブリが設置される。つまり、指示ランプアセンブリ２８は四つのＬＥＤからなっている。
使用者は第１制御ボタン２４、第２制御ボタン２６を操作して出力電圧をコントロールする時、四つのＬＥＤが調整した電圧を示す。例えば、出力電圧が大きいほど、指示ランプアセンブリ２８のＬＥＤの数が多くなる。この実施例では、四つのＬＥＤ指示ランプが点灯すると出力電圧が最大であることを表す。一方で、一つのＬＥＤ指示ランプが点灯すると出力電圧が最小であることを表す。以下同様である。
【００１６】
図１と図２の実施例では、制御ボタンが二つ、第１制御ボタン２４、第２制御ボタン２６であり、出力電圧の上昇と下降をコントロールする。第１制御ボタン２４が出力電圧を上げる。一回押すと、一段階上昇する。第２制御ボタン２６が出力電圧を下げる。一回押すと、一段階下降する。
【００１７】
ほかの実施例では、制御ボタンとしてさらに第３の制御ボタンを有する。第３の制御ボタンは波形生成モードの切り替えをコントロールするボタンである。
【００１８】
次に、本考案の軽便型のＵＳＢ低周波按摩器２０の波形生成モードの四つの具体実施例の説明図である図３Ａ、図３Ｂを参照する。
【００１９】
図３Ａでは、第一モードは毎秒一回脈波の波形生成モードを採用し、固定長周期波形生成モードである。間隔の秒数は２秒／１回、１．５秒／１回、１秒／１回などが調整できる。第二モードは毎回１秒を隔て、それから五つの脈波は０．５秒を隔てる。そして、２秒を経って上述のモードを繰り返す。第二モードはハイブリッド長周期波形生成モードである。
【００２０】
図３Ｂでは、第三モードは連続パルス波形生成モードであり、つまり２０ｍｓにつき一回脈波が発生し、合計２秒である。これから１秒後、もう一回を繰り返し、このモードを続ける。連続パルス波形生成モードが間隔時間（２０ｍｓ）と連続パルスの間隔時間（１秒）を調整できる。
【００２１】
第四モードはハイブリッド連続パルス波形生成モードであり、多種の違う間隔の波形生成モードを融合する。第四モードの実施例では、４０ｍｓ間隔、３０ｍｓ間隔、２０ｍｓ間隔、１５ｍｓ間隔四つのモードを融合し、四つの連続パルス波形生成モードがそれぞれ起動して４秒後、次のモードが起動する。このように繰り返す。同様、このモードが一つの循環の後、大きな間隔を隔て（第三モードの１秒のように）、もう一度繰り返す。ハイブリッド連続パルス波形生成モードが任意に違う間隔時間を選択できるので多種多様な組み合わせが体験できる。
【００２２】
図３Ａ、図３Ｂでは四つのモードを挙げた。ほかの実施例では、任意のモードの組み合わせができる。本考案は図３Ａ、図３Ｂのモードに限らない。
【００２３】
図１、図２の実施例において図３Ａ、図３Ｂの波形生成モードをどのように実現するかについて説明する。本考案の一つの実施例では、マイクロコントローラ２２は自動的に波形生成モードの一つを選んで昇圧回路２３の出力をコントロールする。もう一つの実施例では、マイクロコントローラ２２は第１制御ボタン２４、第２制御ボタン２６を通じて波形生成モードを選択する。第１制御ボタン２４、第２制御ボタン２６を長く押すと、ほかの波形生成モードに転換し、昇圧回路２３の出力をコントロールする。
【００２４】
本考案のもう一つの実施例では、マイクロコントローラ２２は、第１制御ボタン２４、あるいは第２制御ボタン２６を通じて波形生成モードを選択する。第１制御ボタン２４、あるいは第２制御ボタン２６を連続２回押すと、ほかの波形生成モードに転換し、昇圧回路２３の出力をコントロールする。
【００２５】
本考案のもう一つの実施例では、マイクロコントローラ２２は、第１制御ボタン２４、第２制御ボタン２６が同時に波形生成モードを選択する。第１制御ボタン２４、第２制御ボタン２６を同時に一定の時間（例えば１秒、２秒、３秒）押すと、ほかの波形生成モードに転換し、昇圧回路２３の出力をコントロールする。
【００２６】
本考案のもう一つの実施例では、マイクロコントローラ２２は、第１制御ボタン２４、第２制御ボタン２６が同時に波形生成モードを選択する。第１制御ボタン２４、第２制御ボタン２６を同時に連続２回押すと、ほかの波形生成モードに転換し、昇圧回路２３の出力をコントロールする。
【００２７】
本考案のもう一つの実施例では、マイクロコントローラ２２は第３制御ボタン（図示せず）を通じて波形生成モードを選択する。第３制御ボタンを押すと、ほかの波形生成モードに転換し、昇圧回路２３の出力をコントロールする。
【００２８】
本考案の技術内容はよい実施例を挙げて以上のように説明した。しかし以上の内容は本考案の限界を定めることなく、当業者が本考案の精神の範囲で内容を少々変更することは本考案の創作の範囲に属する。本考案の保護範囲は実用新案登録請求の範囲により定めた範囲とする。
【符号の説明】
【００２９】
１０  電源装置
１１  電力供給ユニット
１２  ＵＳＢ  Ｔｙｐｅ−Ａメス端子
１３  ＵＳＢ制御チップ
２０  軽便型のＵＳＢ低周波按摩器
２１  ＵＳＢ  Ｔｙｐｅ−Ａオス端子
２２  マイクロコントローラ
２３  昇圧回路
２４  第１制御ボタン
２５  電源ボタン
２６  第２制御ボタン
２７  切り替えスイッチ
２８  指示ランプアセンブリ
３０  接続コード
４１、４２  電子按摩パッド
【図１】
0003214975.tif 000003
【図２】
0003214975.tif 000004
【図３Ａ】
0003214975.tif 000005
【図３Ｂ】
0003214975.tif 000006